(57)【要約】【課題】  意見交換ができ、登録したいイベントをスケジュールに追加できる地域情報配信サーバ装置を提供する。【解決手段】  地域情報をユーザに配信する地域情報配信部（１２）と前記地域情報のスケジュールを管理するスケジュール管理部（１４）と前記ユーザの情報を記憶するユーザ情報データベース（１６）と前記地域情報を記憶する地域情報データベース（１７）と前記スケジュール情報を記憶するスケジュール情報データベース（１８）とを備えた情報配信サーバ装置（１１）において、前記ユーザの意見を受付け、反映するユーザ意見反映部（１３）と、前記ユーザの意見と地域情報からスケジュールを抽出し前記スケジュール管理部にスケジュール登録を依頼するスケジュール連動部（１５）とを備えた。【選択図】図１
2007213174.tif 000002
【特許請求の範囲】
【請求項１】
地域情報をユーザに配信する地域情報配信部と前記地域情報のスケジュールを管理するスケジュール管理部と前記ユーザの情報を記憶するユーザ情報データベースと前記地域情報を記憶する地域情報データベースと前記スケジュール情報を記憶するスケジュール情報データベースとを備えた情報配信サーバ装置において、
前記ユーザの意見を受付け、反映するユーザ意見反映部と、
前記ユーザの意見と地域情報からスケジュールを抽出し前記スケジュール管理部にスケジュール登録を依頼するスケジュール連動部と、
を備えたことを特徴とする地域情報配信サーバ装置。
【請求項２】
前記地域情報配信部は、配信した地域情報に対するユーザの意見を受付け、ユーザ意見をユーザ意見反映部に転送し、地域情報データベースに記憶させ、また記憶しているユーザ意見を利用者端末に表示することを特徴とする請求項１に記載の地域情報配信サーバ装置。
【請求項３】
前記地域情報配信部は配信した地域情報に対するユーザのスケジュール登録要求を受付け、スケジュール登録要求をスケジュール連動部に転送し、スケジュール情報データベースにスケジュール追加することを特徴とする請求項１に記載の地域情報配信サーバ装置。
【請求項４】
前記ユーザ意見反映部は地域情報配信部から転送されたユーザ意見を対象地域情報と一緒に地域情報データベースに記憶させることを特徴とする請求項１に記載の地域情報配信サーバ装置。
【請求項５】
前記地域情報データベースは対象地域情報とともに、前記地域情報に対するユーザ意見を格納することを特徴とする請求項１に記載の地域情報配信サーバ装置。
【請求項６】
前記のスケジュール連動部は、地域情報配信部から転送されたスケジュール登録要求を解析し、スケジュール追加に必要な情報を転送された地域情報から取出し、スケジュール管理部にスケジュール追加を依頼することを特徴とする請求項１に記載の地域情報配信サーバ装置。
【発明の詳細な説明】
【技術分野】
【０００１】
本発明は、インターネットを介して、利用者端末に地域情報を配信する地域情報配信サーバ装置に関する。
【背景技術】
【０００２】
インターネットの急激な普及により、インターネット上での情報配信が容易になってきている。図７は、インターネットを介して利用者端末に地域情報を配信する地域情報配信システムの構成を示すブロック図である。特定ユーザに対する情報配信システムも数多く存在し、その中で特定地域の特定ユーザに対して、情報配信を行う地域情報配信サーバ装置には、例えば特許文献１がある。
【０００３】
図１１は特許文献１の従来例の構成を示すブロック図で、１１１はサーバ、１１２は端末装置、１１３はクライアントサーバ型ＬＡＮの地域内双方向通信網、１１４は地域内情報記憶手段、１１５は登録回線番号記憶手段、１１６は地域居住者の家である。従来の地域情報配信サーバ装置は、地域内双方向通信網１１３に接続され特定の生活地域内の家１１６に備えられた端末装置１１２と、特定の生活地域に関連する各種情報を提供する或いは受ける各立場に分類したデータベースが構築された地域内情報記憶手段１１４と、各端末装置１２を特定するための回線番号のデータベースが構築された登録回線番号記憶手段１１５と、地域内双方向通信網１１３に接続され、登録済み回線番号からのアクセスであれば、特定の生活地域に関連する各種情報のデータを取り出すサーバ１１１を有しており、特定の生活地域の利用者のみが情報交換に参加できることを保障し、種々の生活情報をお互いに安心して容易に利用することができるというものである。図８は従来技術を利用した地域情報配信システムにおける地域情報配信サーバ装置の構成を示すブロック図であり、図９、図１０は従来の地域情報配信サーバ装置の処理内容とスケジュール管理機能の動作を具体的に示したものである。また、図４は従来のデータベースと本発明のデータベースの内容を比較した説明図である。従来の地域情報配信サーバ装置を、図４、図８、図９、図１０をもとに各構成部分の機能と動作概要について述べる。
【０００４】
図８において、１１は地域情報配信サーバ装置、１２は地域情報配信部、１４はスケジュール管理部、１６はユーザ情報データベース、１７は地域情報データベース、１８はスケジュール情報データベースである。地域情報配信部１２は利用者に地域情報を配信する。図９で示すように、ステップｓ９０１で、利用者は利用者端末２４から地域情報配信部１２にアクセスし、ユーザ名とパスワードからなるユーザ情報入力を行う。次にステップｓ９０２で、地域情報配信部１２はユーザ情報データベース１６にアクセスし、入力されたユーザ情報を確認する。その後、ステップｓ９０３で、ユーザ情報データベース１６から取得できた配信データ区分（図４の１６を参照）をもとに、該当ユーザに配信すべき地域情報を地域情報データベース１７から取出す。そして、ステップｓ９０４で、取出した地域情報を利用者端末２４に転送し、表示する。
【０００５】
スケジュール管理部１４は利用者にスケジュール機能を提供する。図１０で示すように、利用者端末２４からスケジュール管理部１４に対してスケジュールの追加とスケジュールの参照ができる。スケジュールを追加する場合、ステップｓ１００１で、利用者端末２４からスケジュール追加要求を行う。スケジュール管理部１４は要求を受けると、ステップｓ１００２でスケジュール情報データベース１８にスケジュール情報を追加する。スケジュールを参照する場合、ステップｓ１００３で、利用者端末２４からスケジュール参照要求を行う。スケジュール管理部１４は要求を受けると、ステップｓ１００４で、スケジュール情報データベース１８からスケジュール情報を取得し、ステップｓ１００５で、利用者端末２４に取得スケジュール情報を転送し、表示する。
【０００６】
図４は、従来と本発明のデータベースの内容を比較したものであり、ユーザ情報データベース１６とスケジュール情報データベース１８については本発明と従来技術とは同じである。ユーザ情報データベース１６は、各ユーザのユーザ名、パスワード、住所、配信データ区分などが記憶されており、スケジュール情報データベース１８は、各ユーザのユーザ名、パスワード、スケジュール情報などが記憶されている。配信データ区分によって、利用者に配信すべき地域情報を判別する。
【０００７】
地域情報データベース１７は利用者全体に配信するすべての地域情報を記憶するデータベースであり、１７１は従来のデータベース、１７２は本発明のデータベースを示している。各地域情報には、配信データ区分、情報内容が記憶される。
【特許文献１】特開２００５−１１００７７号公報
【発明の開示】
【発明が解決しようとする課題】
【０００８】
しかしながら、従来の地域情報配信システムでは、利用者が地域情報を参照することしかできず、配信された情報に対して利用者間で議論し、意見交換したい場合がある。しかし利用者間で意見交換できるような機能が提供されていない。
例えば、地域利用者に地域で開催される予定のイベント情報が配信される場合、利用者間でイベントに関する情報（交通状況、イベント内容など）について情報交換したい場合がある。しかし、意見交換手段が提供されていないため、情報交換を行うことができない。
また、利用者が配信された情報の一部を自分のスケジュールに追加したい場合がある。その場合、利用者が手動で情報の内容をスケジュールに登録しなければならない。
例えば、イベントの開催日時、内容を利用者のスケジュールに登録したい場合、手動でスケジュールに追加する必要がある。
本発明は、このような問題点に鑑みてなされたものであり、意見交換ができ、登録したいイベントをスケジュールに追加できる地域情報配信サーバ装置を提供することを目的とする。
【課題を解決するための手段】
【０００９】
上記問題を解決するため、本発明は、次のようにしたのである。
請求項１に記載の発明は、地域情報をユーザに配信する地域情報配信部と前記地域情報のスケジュールを管理するスケジュール管理部と前記ユーザの情報を記憶するユーザ情報データベースと前記地域情報を記憶する地域情報データベースと前記スケジュール情報を記憶するスケジュール情報データベースとを備えた情報配信サーバ装置において、前記ユーザの意見を受付け、反映するユーザ意見反映部と、前記ユーザの意見と地域情報からスケジュールを抽出し前記スケジュール管理部にスケジュール登録を依頼するスケジュール連動部とを備えたことを特徴とするものである。
請求項２に記載の発明は、請求項１に記載の地域情報配信サーバ装置において、前記地域情報配信部は、配信した地域情報に対するユーザの意見を受付け、ユーザ意見をユーザ意見反映部に転送し、地域情報データベースに記憶させ、また記憶しているユーザ意見を利用者端末に表示することを特徴とするものである。
請求項３に記載の発明は、請求項１に記載の地域情報配信サーバ装置において、前記地域情報配信部は配信した地域情報に対するユーザのスケジュール登録要求を受付け、スケジュール登録要求をスケジュール連動部に転送し、スケジュール情報データベースにスケジュール追加することを特徴とするものである。
請求項４に記載の発明はは、請求項１に記載の地域情報配信サーバ装置において、前記ユーザ意見反映部は地域情報配信部から転送されたユーザ意見を対象地域情報と一緒に地域情報データベースに記憶させることを特徴とするものである。
請求項５に記載の発明は、請求項１に記載の地域情報配信サーバ装置において、前記地域情報データベースは、対象地域情報とともに地域情報に対するユーザ意見を格納することを特徴とするものである。
請求上６に記載の発明は、請求項１に記載の地域情報配信サーバ装置において、前記のスケジュール連動部は、地域情報配信部から転送されたスケジュール登録要求を解析し、スケジュール追加に必要な情報を転送された地域情報から取出し、スケジュール管理部にスケジュール追加を依頼することを特徴とするものである。
【発明の効果】
【００１０】
本発明によると、意見交換ができ、登録したいイベントをスケジュールに追加できる地域情報配信サーバ装置を提供することができる。
【発明を実施するための最良の形態】
【００１１】
以下、本発明の実施の形態について図を参照して説明する。
【実施例１】
【００１２】
図１は本発明の地域情報配信サーバ装置の構成を示すブロック図である。１１は地域情報配信サーバ装置、１２は地域情報配信部、１３はユーザ意見反映部、１４はスケジュール管理部、１５はスケジュール連動部、１６はユーザ情報データベース、１７は地域情報データベース、１８はスケジュール情報データベースである。
図２は本発明のユーザ意見反映機能を説明する図で地域情報配信サーバ装置のユーザ意見反映部を利用したユーザ意見反映処理の流れを示す。利用者ははじめにステップｓ２０１で、利用者端末２４から地域情報配信部１２にアクセスし、ユーザ名とパスワードからなるユーザ情報入力を行う。次にステップｓ２０２で、地域情報配信部１２はユーザ情報データベース１６にアクセスし、入力されたユーザ情報を確認する。次にステップｓ２０３で、ユーザ情報データベース１６から取得できた配信データ区分をもとに、該当ユーザに配信すべき地域情報を地域情報データベース１７から取出す。次にステップｓ２０４で、取出した地域情報を利用者端末２４に転送し、表示する。
【００１３】
利用者が地域情報に対して自分の意見を反映したい場合は、ステップｓ２０５で配信された情報と一緒に自分の意見を地域情報配信部１２に登録を依頼する。次にステプｓ２０６で、地域情報配信部１２はユーザ意見反映部１３にユーザ意見登録を依頼する。次にステップｓ２０７で、ユーザ意見反映部１３はユーザの意見を地域情報データベース１７の該当地域情報のユーザ意見部分（図４の１７２を参照）に反映する。次に、ステップｓ２０８で、ユーザ意見反映部１３は地域情報配信部１２に登録完了通知を送信する。地域情報配信部１２は登録完了通知を受信すると、ステップｓ２０９で地域情報データベースから地域情報を再取得し、ステップｓ２１０で、利用者端末に更新された地域情報を転送し、表示する。
【００１４】
例として、図５に利用者端末に表示される地域情報の表示画面イメージを示す。まず、地域情報表示画面５０が表示され、複数地域情報とそれぞれの地域情報に対するユーザ情報反映ボタンとユーザ情報参照ボタンが表示される。例えば、利用者が地域情報Ａ５１に対して意見を反映したい場合、ユーザ情報反映ボタンＡ５４をクリックすると、地域情報Ａに対するユーザ入力画面５０１が表示される。利用者が地域情報Ａに対する意見入力欄５０３に意見を入力し、送信ボタン５０２をクリックすると、ユーザ意見が地域情報配信部に送信され、地域情報データベースに記憶される。表示は地域情報表示画面５０に戻る。次に利用者がユーザ情報参照ボタンＡ５７をクリックすると、地域情報Ａに対するユーザ情報表示画面５０４が表示され、新たに登録されたユーザ意見を参照することができる。
【実施例２】
【００１５】
図３は本発明のスケジュール連動機能動作を示すブロック図である。利用者はまずステップｓ３０１で、利用者端末２４から地域情報配信部１２にアクセスし、ユーザ名とパスワードからなるユーザ情報入力を行う。地域情報配信部１２は、ステップｓ３０２で、ユーザ情報データベース１６にアクセスし、入力されたユーザ情報を確認する。次にステップｓ３０３で、ユーザ情報データベース１６から取得できた配信データ区分（図４の１６を参照）をもとに、該当ユーザに配信すべき地域情報を地域情報データベース１７から取出す。次にステップｓ３０４で、取出した地域情報を利用者端末２４に転送し、表示する。
【００１６】
利用者が表示された地域情報を自分のスケジュールに追加したい場合、ステップｓ３０５で、地域情報配信部１２に地域情報のスケジュール追加を依頼する。追加依頼を受けた地域情報配信部１２は、ステップｓ３０６で、該当地域情報をスケジュール連動部１５に転送する。スケジュール連動部１５では、ステップｓ３０７で、転送された地域情報を解析し、スケジュール追加に必要な情報を抽出し、ステップｓ３０８で、スケジュール管理部１４にスケジュール追加要求を送信する。スケジュール管理部１４は、ステップｓ３０９で、スケジュール情報をスケジュール情報データベース１８にスケジュール情報を追加する。次に、利用者はスケジュール情報管理部１４を利用して、追加されたスケジュール情報を参照することができる。
【００１７】
例として、図６に利用者端末に表示される地域情報の表示画面イメージを示す。まず、地域情報表示画面６０が表示され、複数地域情報とそれぞれの地域情報に対するスケジュール追加ボタンが表示される。例えば、利用者が地域情報Ａ６１をスケジュールに追加したい場合、スケジュール追加ボタンＡ６４をクリックすると、スケジュール追加依頼が地域情報配信部１２に送信され、スケジュール情報データベースにスケジュール追加される。
本発明が従来の地域情報配信サーバ装置と異なる部分は、ユーザ意見反映部１３とスケジュール連動部１５を備えた部分である。
また、地域情報配信部１２にユーザ意見登録受付機能と表示地域情報のスケジュール追加受付機能が追加され、地域情報データベース１７の各地域情報にユーザ意見（図４の１７２を参照）が追加された点が異なっている。
【産業上の利用可能性】
【００１８】
本発明を従来の地域情報配信システムに適用することによって単一方向の情報配信システムから、利用者間で情報交換できるインタラクティブな情報配信システムになり、システムの利用価値を向上させることができる。また、システム利用者の操作負荷を軽減することができる。
【図面の簡単な説明】
【００１９】
【図１】本発明の地域情報配信サーバ装置の構成を示すブロック図
【図２】ユーザ意見反映機能を説明する図
【図３】スケジュール連動機能動作を説明する図
【図４】従来のデータベースと本発明のデータベースの内容を比較して説明する図
【図５】利用者端末に表示される地域情報の表示画面イメージ
【図６】利用者端末に表示される地域情報の表示画面イメージ
【図７】地域情報配信システム全体構成を説明する図
【図８】従来の地域情報配信サーバ装置の構成を示すブロック図
【図９】従来の地域情報配信サーバ装置の処理内容を示した図
【図１０】従来のスケジュール管理機能を示した図
【図１１】従来の地域情報配信サーバ装置の構成を示すブロック図
【符号の説明】
【００２０】
１１  地域情報配信サーバ装置
１２  地域情報配信部
１３  ユーザ意見反映部
１４  スケジュール管理部
１５  スケジュール連動部
１６  ユーザ情報データベース
１７  地域情報データベース
１８  スケジュール情報データベース
２２  インターネット
２３  地域利用者
２４  利用者端末
１７１  従来の地域情報データベース
１７２  新しい地域情報データベース
５０  地域情報表示画面
５１、５２、５３  地域情報
５４、５５、５６  ユーザ情報反映ボタン
５７、５８、５９  ユーザ情報参照ボタン
５０１  地域情報Ａに対するユーザ情報入力画面
５０２  送信ボタン
５０３  地域情報Ａに対する意見入力欄
５０４  地域情報Ａに対するユーザ情報表示画面
５０５  地域情報Ａに対する意見ａ
５０６  地域情報Ａに対する意見ｎ
６０  地域情報表示画面
６１、６２、６３  地域情報
６４、６５、６６  スケジュール追加ボタン
【図１】
2007213174.tif 000003
【図２】
2007213174.tif 000004
【図３】
2007213174.tif 000005
【図４】
2007213174.tif 000006
【図５】
2007213174.tif 000007
【図６】
2007213174.tif 000008
【図７】
2007213174.tif 000009
【図８】
2007213174.tif 000010
【図９】
2007213174.tif 000011
【図１０】
2007213174.tif 000012
【図１１】
2007213174.tif 000013